(57)【特許請求の範囲】
【請求項１】
発側網にある複数の伝送装置、および、着側網にある複数の伝送装置に亘って設定される通信パスのうち、前記着側網にある複数の伝送装置に設定された部分を管理する通信パス管理装置であって、
前記通信パスのうち、前記発側網にある複数の伝送装置に設定された部分を管理する他の通信パス管理装置と接続するためのＩＦ（Interface）として機能する通信パス管理装置間ＩＦ部と、
前記通信パス管理装置間ＩＦ部によって、前記着側網にある伝送装置のうち前記通信パスの開始点となる伝送装置の物理ＩＦを、前記他の通信パス管理装置に開示する網管理部と、を備え、
前記通信パスは、プロテクションがなされた、現用系の通信パス、および、予備系の通信パスであり、
前記網管理部は、
前記通信パス管理装置間ＩＦ部によって、前記着側網にある伝送装置のうち前記現用系の通信パスの開始点となる伝送装置の物理ＩＦ、および、前記予備系の通信パスの開始点となる伝送装置の物理ＩＦ、を前記他の通信パス管理装置に開示する、
ことを特徴とする通信パス管理装置。
【請求項２】
前記他の通信パス管理装置が前記通信パスの試験を実施する場合、
前記網管理部は、
前記他の通信パス管理装置からの指示に応じて、前記通信パス管理装置間ＩＦ部によって、前記着側網の伝送装置のうち前記試験の試験ポイントとなる伝送装置に対して試験ポイントの設定が完了した旨を前記他の通信パス管理装置に通知する、
ことを特徴とする請求項１に記載の通信パス管理装置。
【請求項３】
前記通信パス管理装置が前記通信パスの試験を実施する場合、
前記網管理部は、
前記他の通信パス管理装置からの指示に応じて、前記着側網の伝送装置のうち前記試験の試験ポイントとなる伝送装置に対して試験を実施し、前記実施したときの試験結果を前記他の通信パス管理装置に通知する、
ことを特徴とする請求項１に記載の通信パス管理装置。
【請求項４】
前記網管理部は、
前記着側網にある伝送装置のうち前記通信パスが設定されている伝送装置から、所定のアラームに関するアラーム情報、および、当該伝送装置に関する性能情報の少なくともいずれかを受信した場合、
前記通信パス管理装置間ＩＦ部によって、前記受信したアラーム情報、および、前記性能情報の少なくともいずれかを前記他の通信パス管理装置に送信する、
ことを特徴とする請求項１に記載の通信パス管理装置。
【請求項５】
発側網にある複数の伝送装置、および、着側網にある複数の伝送装置に亘って設定される通信パスのうち、前記着側網にある複数の伝送装置に設定された部分を管理する通信パス管理装置における通信パス管理方法であって、
前記通信パス管理装置は、
前記通信パスのうち、前記発側網にある複数の伝送装置に設定された部分を管理する他の通信パス管理装置と接続するためのＩＦとして機能する通信パス管理装置間ＩＦ部を介して、前記着側網にある伝送装置のうち前記通信パスの開始点となる伝送装置の物理ＩＦを、前記他の通信パス管理装置に開示する開示ステップ、を実行し、
前記通信パスは、プロテクションがなされた、現用系の通信パス、および、予備系の通信パスである場合、
前記開示ステップにおいて、
前記通信パス管理装置間ＩＦ部によって、前記着側網にある伝送装置のうち前記現用系の通信パスの開始点となる伝送装置の物理ＩＦ、および、前記予備系の通信パスの開始点となる伝送装置の物理ＩＦ、を前記他の通信パス管理装置に開示する、
ことを特徴とする通信パス管理方法。
【請求項６】
発側網にある複数の伝送装置、および、着側網にある複数の伝送装置に亘って設定される通信パスのうち、前記着側網にある複数の伝送装置に設定された部分を管理する通信パス管理装置としてコンピュータを、
前記通信パスのうち、前記発側網にある複数の伝送装置に設定された部分を管理する他の通信パス管理装置と接続するためのＩＦとして機能する通信パス管理装置間ＩＦ手段、
前記通信パス管理装置間ＩＦ手段によって、前記着側網にある伝送装置のうち前記通信パスの開始点となる伝送装置の物理ＩＦを、前記他の通信パス管理装置に開示する網管理手段、として機能させ、
前記通信パスは、プロテクションがなされた、現用系の通信パス、および、予備系の通信パスである場合、
前記網管理手段が、
前記通信パス管理装置間ＩＦ手段によって、前記着側網にある伝送装置のうち前記現用系の通信パスの開始点となる伝送装置の物理ＩＦ、および、前記予備系の通信パスの開始点となる伝送装置の物理ＩＦ、を前記他の通信パス管理装置に開示する、
ように機能させるための通信パス管理プログラム。
【発明の詳細な説明】
【技術分野】
【０００１】
本発明は、伝送網上の伝送装置に設定された通信パスを管理する技術に関する。
【背景技術】
【０００２】
複数の伝送装置が配置されている伝送網を供給するベンダ（事業者）の保守者は、これらの伝送装置に接続するＥＭＳ（Element  Management  System。通信パス管理装置。）を用いてこれらの伝送装置、これらの伝送装置に設定された通信パス、これらの伝送装置が配置されている伝送網などを管理する。ここで、所定の通信サービスを実現するために、異なるベンダが供給する複数の伝送網に亘るエンド・ツー・エンドの通信パス（以下、単に、「通信パス」という場合がある）を、各伝送網上の該当する伝送装置に設定する場合がある。
【０００３】
ベンダは、ＥＭＳを用いて、自網の伝送装置に設定された通信パスに対して所定の試験や、所定の情報収集を行うことで自網を管理する。しかし、自網を管理するＥＭＳのみを用いて、異なるベンダが供給する複数の伝送網に亘る通信パスの全体を管理することは当然できない。そのため従来では、各伝送網の保守者同士が、通信パス設定のための各種設定変更情報、設定した通信パスの試験のための情報、伝送装置のアラーム情報等の連絡を取り合うことにより、通信パスの管理を実現している。
【０００４】
なお、特許文献１には、複数のドメイン（伝送網に相当）を経由して通信を行う場合に、各ドメインを管理する管理サーバ（ＥＭＳに相当）が連携して、パスの構成及び最適ルーティングを行う技術が開示されている。
【先行技術文献】
【特許文献】
【０００５】
【特許文献１】特開２０１０−２３３２７０号公報
【発明の概要】
【発明が解決しようとする課題】
【０００６】
しかし、上記のように各伝送網の保守者同士で連絡を取り合う場合、各伝送網の伝送装置から収集される情報量の不足や、連絡の誤りなどが生じ、通信パスの管理負担の増大や通信サービスの実現の遅延を招く可能性がある。また、各伝送網の保守者が管理する情報には、各伝送網の伝送装置に関する製造会社名や型番、伝送装置の設置ビル名などの様々な秘密情報が含まれており、管理情報全てを必ずしも相手側保守者に開示できるわけではない。情報の秘匿性を重視すると、１台のＥＭＳを用意して、各伝送網の伝送装置に亘って設定された通信パスの全体をそのＥＭＳで統合的に管理する、という方法をとることはできない。特許文献１には、このような事情を解決するため手段を具体的には言及していない。
【０００７】
そこで、本発明は、上記事情に鑑みて、複数の伝送網の保守者の各々が管理する情報を他の保守者に開示したくないという要望を満たしつつ、複数の伝送網の各々に配置されている伝送装置に亘って設定される通信パスの管理を、１台の通信パス管理装置で行うことを課題とする。
【課題を解決するための手段】
【０００８】
前記課題を解決するために、請求項１に記載の発明は、発側網にある複数の伝送装置、および、着側網にある複数の伝送装置に亘って設定される通信パスのうち、前記着側網にある複数の伝送装置に設定された部分を管理する通信パス管理装置であって、前記通信パスのうち、前記発側網にある複数の伝送装置に設定された部分を管理する他の通信パス管理装置と接続するためのＩＦ（Interface）として機能する通信パス管理装置間ＩＦ部と、前記通信パス管理装置間ＩＦ部によって、前記着側網にある伝送装置のうち前記通信パスの開始点となる伝送装置の物理ＩＦを、前記他の通信パス管理装置に開示する網管理部と、を備え、前記通信パスは、プロテクションがなされた、現用系の通信パス、および、予備系の通信パスであり、前記網管理部は、前記通信パス管理装置間ＩＦ部によって、前記着側網にある伝送装置のうち前記現用系の通信パスの開始点となる伝送装置の物理ＩＦ、および、前記予備系の通信パスの開始点となる伝送装置の物理ＩＦ、を前記他の通信パス管理装置に開示する、ことを特徴とする。
【０００９】
また、請求項５に記載の発明は、発側網にある複数の伝送装置、および、着側網にある複数の伝送装置に亘って設定される通信パスのうち、前記着側網にある複数の伝送装置に設定された部分を管理する通信パス管理装置における通信パス管理方法であって、前記通信パス管理装置は、前記通信パスのうち、前記発側網にある複数の伝送装置に設定された部分を管理する他の通信パス管理装置と接続するためのＩＦとして機能する通信パス管理装置間ＩＦ部を介して、前記着側網にある伝送装置のうち前記通信パスの開始点となる伝送装置の物理ＩＦを、前記他の通信パス管理装置に開示する開示ステップ、を実行し、前記通信パスは、プロテクションがなされた、現用系の通信パス、および、予備系の通信パスである場合、前記開示ステップにおいて、前記通信パス管理装置間ＩＦ部によって、前記着側網にある伝送装置のうち前記現用系の通信パスの開始点となる伝送装置の物理ＩＦ、および、前記予備系の通信パスの開始点となる伝送装置の物理ＩＦ、を前記他の通信パス管理装置に開示する、ことを特徴とする。
【００１０】
また、請求項６に記載の発明は、発側網にある複数の伝送装置、および、着側網にある複数の伝送装置に亘って設定される通信パスのうち、前記着側網にある複数の伝送装置に設定された部分を管理する通信パス管理装置としてコンピュータを、前記通信パスのうち、前記発側網にある複数の伝送装置に設定された部分を管理する他の通信パス管理装置と接続するためのＩＦとして機能する通信パス管理装置間ＩＦ手段、前記通信パス管理装置間ＩＦ手段によって、前記着側網にある伝送装置のうち前記通信パスの開始点となる伝送装置の物理ＩＦを、前記他の通信パス管理装置に開示する網管理手段、として機能させ、前記通信パスは、プロテクションがなされた、現用系の通信パス、および、予備系の通信パスである場合、前記網管理手段が、前記通信パス管理装置間ＩＦ手段によって、前記着側網にある伝送装置のうち前記現用系の通信パスの開始点となる伝送装置の物理ＩＦ、および、前記予備系の通信パスの開始点となる伝送装置の物理ＩＦ、を前記他の通信パス管理装置に開示する、ように機能させる。
【００１１】
請求項１，５，６に記載の発明によれば、着側網の通信パス管理装置は、発側網の他の通信パス管理装置に対して、着側網に設定されている通信パスの開始点となる伝送装置の物理ＩＦを少なくとも開示する。このため、他の通信パス管理装置は、発側網に設定されている通信パスが着側網に対してどのような形態で設定されているかを認識することができる。よって、発側網の他の通信パス管理装置は、着側網の通信パス管理装置が備える通信パス管理装置間ＩＦ部を介して、着側網の通信パス管理装置が管理している通信パスを実質的に管理することができる。また、着側網の通信パス管理装置は、発側網の他の通信パス管理装置が通信パスの全体を管理するのに必要な情報は、発側網の他の通信パス管理装置に開示しているため、着側網の網構成情報などの秘密情報は開示せずに済ませることができる。
したがって、複数の伝送網の保守者の各々が管理する情報を他の保守者に開示したくないという要望を満たしつつ、複数の伝送網の各々に配置されている伝送装置に亘って設定される通信パスの管理を、１台の通信パス管理装置で行うことができる。
また、発側網および着側網に亘る通信パスが、現用系および予備系からなるプロテクションパスである場合にも、発側網の他の通信パス管理装置は、着側網の通信パス管理装置が備える通信パス管理装置間ＩＦ部（手段）を介して、着側網の通信パス管理装置が管理している通信パスを実質的に管理することができる。
【００１４】
また、請求項２に記載の発明は、請求項１に記載の通信パス管理装置であって、前記他の通信パス管理装置が前記通信パスの試験を実施する場合、前記網管理部は、前記他の通信パス管理装置からの指示に応じて、前記通信パス管理装置間ＩＦ部によって、前記着側網の伝送装置のうち前記試験の試験ポイントとなる伝送装置に対して試験ポイントの設定が完了した旨を前記他の通信パス管理装置に通知する、ことを特徴とする。
【００１５】
請求項２に記載の発明によれば、発側網の他の通信パス管理装置は、着側網の通信パス管理装置が備える通信パス管理装置間ＩＦ部を介して、着側網の伝送装置が試験の実施可能状態にあることを認識することができる。よって、発側網の他の通信パス管理装置は、発側網および着側網に亘る通信パスの全体に対する試験を円滑に行うことができる。
【００１６】
また、請求項３に記載の発明は、請求項１に記載の通信パス管理装置であって、前記通信パス管理装置が前記通信パスの試験を実施する場合、前記網管理部は、前記他の通信パス管理装置からの指示に応じて、前記着側網の伝送装置のうち前記試験の試験ポイントとなる伝送装置に対して試験を実施し、前記実施したときの試験結果を前記他の通信パス管理装置に通知する、ことを特徴とする。
【００１７】
請求項３に記載の発明によれば、発側網の他の通信パス管理装置は、着側網の通信パス管理装置が備える通信パス管理装置間ＩＦ部を介して、着側網の伝送装置に対する試験の結果を取得することができる。よって、発側網の他の通信パス管理装置は、発側網および着側網に亘る通信パスの全体に対する試験を円滑に行うことができる。
【００１８】
また、請求項４に記載の発明は、請求項１に記載の通信パス管理装置であって、前記網管理部は、前記着側網にある伝送装置のうち前記通信パスが設定されている伝送装置から、所定のアラームに関するアラーム情報、および、当該伝送装置に関する性能情報の少なくともいずれかを受信した場合、前記通信パス管理装置間ＩＦ部によって、前記受信したアラーム情報、および、前記性能情報の少なくともいずれかを前記他の通信パス管理装置に送信する、ことを特徴とする。
【００１９】
請求項４に記載の発明によれば、発側網の他の通信パス管理装置は、着側網の通信パス管理装置が備える通信パス管理装置間ＩＦ部を介して、発側網の他の通信パス管理装置が本来的には知ることができない、着側網の伝送装置に関するアラーム情報および性能情報の少なくともいずれかを取得することができる。よって、発側網の他の通信パス管理装置は、着側網の通信パス管理装置が管理している通信パスを実質的に管理することができる。
【発明の効果】
【００２０】
本発明によれば、複数の伝送網の保守者の各々が管理する情報を他の保守者に開示したくないという要望を満たしつつ、複数の伝送網の各々に配置されている伝送装置に亘って設定される通信パスの管理を、１台の通信パス管理装置で行うことができる。
【図面の簡単な説明】
【００２１】
【図１】本実施形態の連携システムの一例を示す機能構成図である。
【図２】ＥＭＳの機能構成図、および、伝送装置の機能構成図である。
【図３】通信パスの設定の手順を示すフローチャートである。
【図４】プロバイダレベルの通信パスの試験の手順を示すフローチャートである。
【図５】オペレータレベルの通信パスの試験の手順を示すフローチャートである。
【図６】アラーム情報の収集の手順を示すフローチャートである。
【図７】性能情報の収集の手順を示すフローチャートである。
【図８】本実施形態の連携システムの他の例を示す機能構成図である。
【図９】本実施形態の連携システムの他の例を示す機能構成図である。
【図１０】本実施形態の連携システムの他の例を示す機能構成図である。
【図１１】通信パス管理プログラムを実行するコンピュータを示す図である。
【発明を実施するための形態】
【００２２】
本発明を実施するための形態（実施形態）について、図面を参照しながら詳細に説明する。
【００２３】
〔全体構成〕
図１に示すように、本実施形態の連携システムは、ＥＭＳ（ｓ１）およびＥＭＳ（ｓ２）を備える。ＥＭＳ（ｓ１）は、伝送網としての網Ａ（ｎ１）を供給するベンダの保守者（「網Ａ保守者」と称する場合がある）が用いる通信パス管理装置である。網Ａ保守者は、ＨＭＩ（ｓ１５）（Human  Machine  Interface）を用いてＥＭＳ（ｓ１）の処理を制御する。ＥＭＳ（ｓ１）は、網Ａ内の伝送装置（ｓ３，ｓ４，ｓ５，ｓ９，ｓ１０）と接続しており、伝送装置（ｓ３，ｓ４，ｓ５，ｓ９，ｓ１０）および後記の通信パス（ｐ０，ｐ１）を管理する。
ＥＭＳ（ｓ２）は、伝送網としての網Ｂ（ｎ２）を供給するベンダの保守者（「網Ｂ保守者」と称する場合がある）が用いる通信パス管理装置である。網Ｂ保守者は、ＨＭＩ（ｓ１６）を用いてＥＭＳ（ｓ２）の処理を制御する。ＥＭＳ（ｓ２）は、網Ｂ内の伝送装置（ｓ６，ｓ７，ｓ８，ｓ１１，ｓ１２）と接続しており、伝送装置（ｓ６，ｓ７，ｓ８，ｓ１１，ｓ１２）および後記の通信パス（ｐ０，ｐ１）を管理する。
【００２４】
網Ａ（ｎ１）および網Ｂ（ｎ２）は、伝送装置（ｓ５）と伝送装置（ｓ６）間にてＮＮＩ（ｉ０）（Network  Network  Interface）を介して接続されており、かつ、伝送装置（ｓ１０）と伝送装置（ｓ１１）間にて、ＮＮＩ（ｉ１）を介して接続されている。また、網Ａ（ｎ１）内の各伝送装置（ｓ３〜ｓ５）と網Ｂ（ｎ２）内の伝送装置（ｓ６〜ｓ８）に亘る通信パス（ｐ０）が０系（現用系）の無瞬断プロテクション通信パスとして設定されている。さらに、網Ａ（ｎ１）内の各伝送装置（ｓ３，ｓ９，ｓ１０）と網Ｂ（ｎ２）内の伝送装置（ｓ１１，ｓ１２，ｓ８）に亘る通信パス（ｐ１）が１系（予備系）の無瞬断プロテクション通信パスとして設定されている。
網Ａ（ｎ１）のベンダは、網Ｂ（ｎ２）のベンダと協力して、通信パス（ｐ０，ｐ１）を用いて所定の通信サービスを実現する。説明の便宜上、網Ａ（ｎ１）のベンダは、この通信サービスのための通信パス（ｐ０，ｐ１）を設定する側となり、網Ｂ（ｎ２）のベンダは、この通信サービスのための通信パス（ｐ０，ｐ１）が設定される側となる、とする。網Ａ（ｎ１）は、この通信サービスの発側網であり、網Ｂ（ｎ２）はこの通信サービスのための着側網である。
【００２５】
ＥＭＳ（ｓ２）は、ＥＭＳ（ｓ１）と接続するためのＩＦ（Interface）として機能するＥＭＳ間ＩＦ部（ｓ２１）（通信パス管理装置間ＩＦ部、通信パス管理装置間ＩＦ手段）を備えており、所定の網管理指示や情報を送受信することができる。ＥＭＳ間ＩＦ部（ｓ２１）を備えるＥＭＳ（ｓ２）は、網Ｂの管理情報のうち、網Ｂから網Ａへ開示可能な情報のみを開示することができる。よって、例えば、ＥＭＳ（ｓ２）は、ＥＭＳ（ｓ１）に対して、網Ｂの伝送装置や網Ｂの網構成情報は隠蔽し、無瞬断プロテクション通信パスの試験結果の送受信や設定した通信パスに関係する伝送装置のアラーム情報や性能情報を開示することができる。なお、ＥＭＳ（ｓ２）は、自身で管理する各種情報に対してＥＭＳ（ｓ１）に開示可能か否かを区別するフラグを割り当て、ＥＭＳ（ｓ１）に開示する情報を選択する。フラグの割り当て内容は、例えば、網Ｂ保守者の裁量で決定することができる。
【００２６】
ＥＭＳ間ＩＦ部（ｓ２１）は、通信パスを設定する側となるＥＭＳ（ｓ１）が、通信パスが設定される側となるＥＭＳ（ｓ２）、網Ｂ内の伝送装置（ｓ６，ｓ７，ｓ８，ｓ１１，ｓ１２）および通信パス（ｐ０，ｐ１）を、ＥＭＳ（ｓ１）配下の１台の仮想伝送装置として扱うことを可能にする。仮想伝送装置は、ＮＮＩにおいて対向する伝送装置が複数ある場合はＮＮＩ毎に用意することができる。図１には、網Ａ（ｎ１）のＥＭＳ（ｓ１）に対して、ＮＮＩ（ｉ０）を含む通信パス（ｐ０）が経由する仮想伝送装置（ｓ１３）、および、ＮＮＩ（ｉ１）を含む通信パス（ｐ１）が経由する仮想伝送装置（ｓ１４）が接続されている様子が示されている。
【００２７】
図２を参照して、網Ｂ（ｎ２）のＥＭＳ（ｓ２）および伝送装置（ｓ６）の機能構成についてそれぞれ説明する。図１に示すように、網Ｂ（ｎ２）のＥＭＳ（ｓ２）は、網Ａ（ｎ１）のＥＭＳ（ｓ１）および、網Ｂ（ｎ２）の各伝送装置（ｓ６〜ｓ８、ｓ１１、ｓ１２）と接続するが、説明の便宜上、図２には、ＥＭＳ（ｓ１）と伝送装置（ｓ６）との接続のみを図示してある。なお、伝送装置（ｓ６）に関する以下の説明は、他の伝送装置にもあてはまる。
【００２８】
ＥＭＳ（ｓ２）は、ＥＭＳ間ＩＦ部（ｓ２１）、網管理部（ｓ２２）（網管理手段）、および、伝送装置用ＩＦ部（ｓ２３）を備える。
ＥＭＳ間ＩＦ部（ｓ２１）は、装置構成ＩＦ部（ｓ２１１）、通信パス試験ＩＦ部（ｓ２１２）、アラームＩＦ部（ｓ２１３）、性能ＩＦ部（ｓ２１４）を備える。
網管理部（ｓ２２）は、装置構成管理部（ｓ２２１）、通信パス試験管理部（ｓ２２２）、アラーム管理部（ｓ２２３）、性能管理部（ｓ２２４）を備える。
伝送装置（ｓ６）は、ＥＭＳ用ＩＦ部（ｓ６１）、通信パス設定部（ｓ６２）、通信パス試験部（ｓ６３）、アラーム通知部（ｓ６４）、性能通知部（ｓ６５）、伝送装置間通信部（ｓ６６）を備える。
【００２９】
（ＥＭＳ（ｓ２）の機能構成）
ＥＭＳ間ＩＦ部（ｓ２１）は、網Ａ（ｎ１）のＥＭＳ（ｓ１）や網管理部（ｓ２２）との通信のやり取りを行う。
装置構成ＩＦ部（ｓ２１１）は、ＥＭＳ（ｓ１）や装置構成管理部（ｓ２２１）と、通信パス設定に関する情報の送受信を行う。
通信パス試験ＩＦ部（ｓ２１２）は、ＥＭＳ（ｓ１）や通信パス試験管理部（ｓ２２２）と、通信パス試験に関する情報の送受信を行う。
アラームＩＦ部（ｓ２１３）は、アラーム管理部（ｓ２２３）から受信したアラーム情報をＥＭＳ（ｓ１）へ送信する。
性能ＩＦ部（ｓ２１４）は、性能管理部（ｓ２２４）から受信した性能情報をＥＭＳ（ｓ１）へ送信する。
【００３０】
網管理部（ｓ２２）は、ＥＭＳ間ＩＦ部（ｓ２１）や伝送装置用ＩＦ部（ｓ２３）と、網管理に関する通信を行う。
【００３１】
（装置構成管理部）
装置構成管理部（ｓ２２１）は、装置構成ＩＦ部（ｓ２１１）や伝送装置用ＩＦ部（ｓ２３）と、網管理に関する情報の送受信を行う。
装置構成管理部（ｓ２２１）は、装置構成ＩＦ部（ｓ２１１）を介してＥＭＳ（ｓ１）から受信した網管理に関する情報の問い合わせに対し、開示可能な情報を開示する。問い合わせに対して開示可能な情報は、装置構成ＩＦ部（ｓ２１１）へ送信される。
【００３２】
「網管理に関する情報」は、例えば、網Ｂ（ｎ２）内の各伝送装置（ｓ６〜ｓ８、ｓ１１、ｓ１２）のエリア登録・エリア構成情報（伝送装置がどの場所にどのようなトポロジで配置されているか）、収容ビル情報（伝送装置がどの建物（ビル）に収容されているか）、伝送装置名情報（例：伝送装置のＩＰ（Internet  Protocol）アドレス、ＭＡＣ（Media  Access  Control）アドレス）、伝送装置状態情報（伝送装置の仕様など）、インタフェースユニット収納情報、インタフェースパッケージ情報、網Ａ（ｎ１）の伝送装置と接続する網Ｂ（ｎ２）の伝送装置の物理ＩＦ情報（例：ＮＮＩの識別情報）などである。装置構成管理部（ｓ２２１）は、これらの情報の各々に対して、ＥＭＳ（ｓ１）へ開示可能か否かのフラグを割り当て、例えばデータベースの形式にてＥＭＳ（ｓ２）の記憶部内にあらかじめ蓄積されている。
【００３３】
また、装置構成管理部（ｓ２２１）は、ＥＭＳ（ｓ１）から装置構成ＩＦ部（ｓ２１１）経由で送付された通信パス特定指示を受信する。「通信パス特定指示」には、網Ａ（ｎ１）内での通信パスの開始点と、終了点と、帯域情報と、ＱｏＳ（Quality  of  Service）値と、プロテクション情報が含まれる。「プロテクション情報」には、０系あるいは１系のパス情報、および、無瞬断か通常パスか予備系解放かのいずれであるかを示す情報が含まれる。装置構成管理部（ｓ２２１）は、網Ｂ（ｎ２）内において設定可能な通信パスを特定し、装置構成ＩＦ部（ｓ２１１）を介してＥＭＳ（ｓ１）へ通信パス特定完了情報（自網内で通信パスの設定が完了した旨を示す情報）を送信する。
通信パスが設定可能となる伝送装置を特定する方法としては、例えば、装置構成管理部（ｓ２２１）に予め蓄えられた網Ｂ（ｎ２）内の伝送装置（ｓ６〜ｓ８、ｓ１１、ｓ１２）の仕様情報を参照する方法がある。
【００３４】
また、装置構成管理部（ｓ２２１）は、ＥＭＳ（ｓ１）から装置構成ＩＦ部（ｓ２１１）経由で送付された通信パス設定指示を受信する。装置構成管理部（ｓ２２１）は、網Ｂ（ｎ２）内の各伝送装置（ｓ６〜ｓ８，ｓ１１，ｓ１２）へ、この通信パス設定指示を送信し、伝送装置に通信パス（ｐ０，ｐ１）の設定に必要な処理を実行させる。
特に、装置構成管理部（ｓ２２１）は、網Ｂ（ｎ２）内の通信パス（ｐ０）の開始点となる伝送装置（ｓ６）へ、網Ａ（ｎ１）の通信パス（ｐ０）の終了点となる網Ａ（ｎ１）の伝送装置（ｓ５）の物理ＩＦを通知し、網Ａと網Ｂ間が通信可能となるように、０系の通信パスを設定させる。また、装置構成管理部（ｓ２２１）は、網Ｂ（ｎ２）内の通信パス（ｐ１）の開始点となる伝送装置（ｓ１１）へ、網Ａ（ｎ１）の通信パスの終了点となる網Ａ（ｎ１）の伝送装置（ｓ１０）の物理ＩＦを通知し、網Ａと網Ｂ間が通信可能となるように、１系の通信パスを設定させる。
装置構成管理部（ｓ２２１）は、各伝送装置（ｓ６〜ｓ８，ｓ１１，ｓ１２）から、伝送装置用ＩＦ部（ｓ２３）経由で、網Ｂ（ｎ２）内の０系および１系の通信パス設定完了情報（伝送装置にて通信パスの設定に必要な処理を実行されたことを示す情報）を受信する。
【００３５】
また、装置構成管理部（ｓ２２１）は、装置構成ＩＦ部（ｓ２１１）経由でＥＭＳ（ｓ１）へ０系および１系の通信パス設定完了情報を送信することで、網Ａ（ｎ１）と網Ｂ（ｎ２）に亘る無瞬断プロテクション通信パスの設定を完了する。
なお、装置構成管理部（ｓ２２１）は、通信パス特定指示に含まれるＱｏＳ値を読み取り、伝送装置用ＩＦ部（ｓ２３）経由で各伝送装置（ｓ６〜ｓ８，ｓ１１，ｓ１２）へ送付する通信パス設定指示に含まれるＱｏＳ値を、通信パス特定指示から読み取ったＱｏＳ値と同じ値に設定する。ＱｏＳ値には、例えば、ＣｏＳ（Class  of  Service）値を用いることができる。また、通信パスの設定に関して、網Ａ（ｎ１）のＱｏＳ値と網Ｂ（ｎ２）のＱｏＳ値とを一致させるとよい。
【００３６】
（通信パス試験管理部）
通信パス試験管理部（ｓ２２２）は、通信パス試験ＩＦ部（ｓ２１２）および伝送装置用ＩＦ部（ｓ２３）と、通信パス試験に関する情報の送受信を行う。
通信パス試験管理部（ｓ２２２）は、通信パス試験ＩＦ部（ｓ２１２）を介してＥＭＳ（ｓ１）から試験ポイント特定指示を受信する。「試験ポイント特定指示」には、通信パス情報（試験対象の通信パスを示す情報）および試験種別の情報が含まれている。また、「試験ポイント」とは、例えば、通信網の保守・管理機能であるＯＡＭ（Operations  Administration  Maintenance）の場合、通信パスの終端点であるＭＥＰ（Maintenance  End  Point）と通信パスの中継点であるＭＩＰ（Maintenance  Intermediate  Point）である。
【００３７】
試験種別が伝送網間に亘る通信パスの試験であるプロバイダレベルの場合、通信パス試験管理部（ｓ２２２）は、網Ｂ（ｎ２）内に設定した通信パスの終了点を設定し、ＥＭＳ（ｓ１）へ、通信パス試験ＩＦ部（ｓ２１２）経由で、試験ポイント設定完了情報（試験ポイントの設定が完了したことを示す情報）を送信する。本ケースでは、０系および１系の通信パスのＭＥＰは伝送装置（ｓ８）となる。また、通信パス試験管理部（ｓ２２２）は、通信パス試験ＩＦ部（ｓ２１２）経由で、網Ａ（ｎ１）のＥＭＳ（ｓ１）から、プロバイダレベルの試験結果を受信してもよい。
【００３８】
試験種別が個別の伝送網内の通信パスの試験であるオペレータレベルの場合、通信パス試験管理部（ｓ２２２）は、網Ｂ（ｓ２）内の通信パスの開始点、すなわち網Ａ（ｎ１）の伝送装置と接続する網Ｂ（ｎ２）の伝送装置を開始点として設定し、網Ｂ（ｎ２）内に設定した通信パスの終了点を設定する。本ケースでは、０系の場合、開始点は伝送装置（ｓ６）、終了点は伝送装置（ｓ８）となる。また１系の場合、開始点は伝送装置（ｓ１１）、終了点は伝送装置（ｓ８）となる。
試験ポイント設定後、通信パス試験管理部（ｓ２２２）は、伝送装置用ＩＦ部（ｓ２３）経由で、網Ｂ（ｎ２）内にて通信パス（ｐ０，ｐ１）の開始点となる伝送装置（ｓ６，ｓ１１）の各々へ試験実施指示を送信する。また、この試験実施指示は、通信パス（ｐ０、ｐ１）の中継点となる伝送装置（ｓ７，ｓ１２）、および、通信パス（ｐ０、ｐ１）の終了点となる伝送装置（ｓ８）にも送信されるようにしてもよい。
通信パス試験管理部（ｓ２２２）は、伝送装置用ＩＦ部（ｓ２３）経由で、網Ｂ（ｎ２）内にて開始点となる伝送装置（ｓ６，ｓ１１）の各々から試験結果を受信する。また、この試験結果は、中継点となる伝送装置（ｓ７，ｓ１２）、および、終了点となる伝送装置（ｓ８）からも受信するようにしてもよい。通信パス試験管理部（ｓ２２２）は、受信した試験結果を、通信パス試験ＩＦ部（ｓ２１２）経由で、網Ａ（ｎ１）のＥＭＳ（ｓ１）へ送信し、通信パス試験を完了する。
なお、通信パスの試験ポイントとなる伝送装置は、例えば、装置構成管理部（ｓ２２１）が蓄積している通信パス情報を参照すること特定することができる。また、試験ポイントとなるＭＥＰおよびＭＩＰは、試験実施時に設定してもよいし、通信パスの設定の際に同時に設定してもよい。
【００３９】
上記した、「プロバイダレベル」、「オペレータレベル」は、ＭＥＧ（Maintenance Entity Group）レベルという規定された保守レベルの１例であり、周知であるため、詳細な説明は省略する。ＭＥＧレベルについては、例えば、［平成２７年２月２３日検索］インターネット<URL:http://www.itu.int/rec/T-REC-G.8013-201311-I/en>を参照されたい。
【００４０】
（アラーム管理部）
アラーム管理部（ｓ２２３）は、伝送装置用ＩＦ部（ｓ２３）から送付された伝送装置（ｓ６）のアラーム情報を受信し、受信したアラーム情報が、設定した通信パスに関係するアラーム情報であるか否かを判定する。アラーム管理部（ｓ２２３）は、所定の条件を満たした場合に、受信したアラーム情報が、設定した通信パスに関係するアラーム情報であると特定する。アラーム管理部（ｓ２２３）は、特定したアラーム情報のみを、アラームＩＦ部（ｓ２１３）へ送信する。
なお、通信パスに関係するアラーム情報であるか否かは、アラーム管理部（ｓ２２３）が装置構成管理部（ｓ２２１）を参照し、通信パスが設定された伝送装置と、アラーム情報を送信した伝送装置とが一致するか否かで判定することができ、一致すれば、受信したアラーム情報を「設定した通信パスに関係するアラーム情報」とする。「設定した通信パスに関係するアラーム情報」には、例えば、該当の伝送装置が輻輳状態にあることを示す情報などがある。
【００４１】
（性能管理部）
性能管理部（ｓ２２４）は、伝送装置用ＩＦ部（ｓ２３）から送付された伝送装置（ｓ６）の性能情報を受信し、受信した性能情報が、設定した通信パスに関係する性能情報であるか否かを判定する。性能管理部（ｓ２２４）は、所定の条件を満たした場合に、受信した性能情報が、設定した通信パスに関係する性能情報であると特定する。性能管理部（ｓ２２４）は、特定した性能情報のみを、性能ＩＦ部（ｓ２１４）へ送信する。
なお、通信パスに関係する性能情報であるか否かは、性能管理部（ｓ２２４）が装置構成管理部（ｓ２２１）を参照し、通信パスが設定された伝送装置と、性能情報を送信した伝送装置とが一致するか否かで判定することができ、一致すれば、受信した性能情報を「設定した通信パスに関係する性能情報」とする。「設定した通信パスに関係する性能情報」には、例えば、該当の伝送装置のトラフィック量、リソース割り当て量などがある。
【００４２】
伝送装置用ＩＦ部（ｓ２３）は、各伝送装置（ｓ６〜ｓ８，ｓ１１，ｓ１２）との通信のやり取りを行う。
【００４３】
（伝送装置（ｓ６）の機能構成）
ＥＭＳ用ＩＦ部（ｓ６１）は、ＥＭＳ（ｓ２）との通信のやり取りを行う。
通信パス設定部（ｓ６２）は、ＥＭＳ用ＩＦ部（ｓ６１）から通信パス設定指示を受信し、通信パスの設定を行う。伝送装置における通信パスの設定方法、通信パス設定に伴うプロテクションの設定方法は周知であるため、説明を省略する。通信パス設定部（ｓ６２）は、通信パスの設定が完了した場合、その完了の旨を示す通信パス設定完了情報をＥＭＳ用ＩＦ部（ｓ６１）送信する。また、通信パス設定部（ｓ６２）は、通信パス設定指示に含まれるＱｏＳ値を通信パスへ反映し、通信パス設定指示に含まれるＱｏＳ値を通信パスのＱｏＳ値とする。
【００４４】
通信パス試験部（ｓ６３）は、ＥＭＳ用ＩＦ部（ｓ６１）から通信パス試験指示を受信し、通信パスの試験を行う。通信パス試験部（ｓ６３）は、試験に対する通信パス試験結果をＥＭＳ用ＩＦ部（ｓ６１）へ送信する。
アラーム通知部（ｓ６４）は、アラーム管理部（ｓ２２３）に通知するための伝送装置（ｓ６）のアラーム情報を、ＥＭＳ用ＩＦ部（ｓ６１）へ送信する。
性能通知部（ｓ６５）は、性能管理部（ｓ２２４）に通知するための、伝送装置（ｓ６）の性能情報、および、伝送装置（ｓ６）に設定した通信パス（ｐ０）のトラヒック情報を、ＥＭＳ用ＩＦ部（ｓ６１）へ送信する。
伝送装置間通信部（ｓ６６）は、他の伝送装置、具体的には、伝送装置（ｓ５）や伝送装置（ｓ７）との通信のやり取りを行う。
【００４５】
〔処理〕
本実施形態の処理として、（１）通信パスの設定、（２）通信パスの試験（プロバイダレベル）、（３）通信パスの試験（オペレータレベル）、（４）通信パスに関係するアラーム情報の収集、および、（５）通信パスに関係する性能情報の収集を説明する。
【００４６】
〈通信パスの設定〉
図３を参照して、網Ａ（ｎ１）と網Ｂ（ｎ２）に亘る通信パスの設定手順を説明する。網Ａ（ｎ１）のＥＭＳ（ｓ１）が通信パスを設定する側、網Ｂ（ｎ２）のＥＭＳ（ｓ２）が通信パスを設定される側とし、まず０系の通信パス（ｐ０）を設定する手順を説明する。
【００４７】
網Ｂ（ｎ２）のＥＭＳ（ｓ２）は、ＥＭＳ間ＩＦ部（ｓ２１）を経由して、網Ａ（ｎ１）のＥＭＳ（ｓ１）に対し、網Ａ（ｎ１）の伝送装置（ｓ５）と接続する網Ｂ（ｎ２）の伝送装置（ｓ６）の物理ＩＦ（つまり、ＮＮＩ（ｉ０））を予め開示しておく（ステップＶ１）。
【００４８】
次に、網Ａ（ｎ１）のＥＭＳ（ｓ１）は、網Ｂ（ｎ２）のＥＭＳ（ｓ２）のＥＭＳ間ＩＦ部（ｓ２１）の装置構成ＩＦ部（ｓ２１１）へ、０系の通信パス（ｐ０）の通信パス特定指示を送信し、装置構成ＩＦ部（ｓ２１１）は、その通信パス特定指示を装置構成管理部（ｓ２２１）へ送信する（ステップＶ２）。
次に、装置構成管理部（ｓ２２１）は、受信した通信パス特定指示に基づき、網Ｂ（ｎ２）内において設定可能な通信パスを特定する（ステップＶ３）。
設定可能な通信パスの特定が完了した場合、装置構成管理部（ｓ２２１）は、装置構成ＩＦ部（ｓ２１１）へ、網Ｂ内にて通信パスの特定が完了した旨を示す通信パス特定完了情報を送信し、装置構成ＩＦ部（ｓ２１１）は、網Ａ（ｎ１）のＥＭＳ（ｓ１）へ、通信パス特定完了情報を送信する（ステップＶ４）。
【００４９】
ＥＭＳ（ｓ１）は、ＥＭＳ（ｓ２）の装置構成ＩＦ部（ｓ２１１）から通信パス特定完了情報を受信すると、網Ａ（ｎ１）内にて通信パスの設定をする（ステップＶ５）。具体的には、ＥＭＳ（ｓ１）は、各伝送装置（ｓ３〜ｓ５）間の通信パス（ｐ０）を設定する。
【００５０】
ＥＭＳ（ｓ１）は、ＥＭＳ（ｓ２）のＥＭＳ間ＩＦ部（ｓ２１）の装置構成ＩＦ部（ｓ２１１）へ、通信パス設定指示を送信し、装置構成ＩＦ部（ｓ２１１）は、この通信パス設定指示を装置構成管理部（ｓ２２１）へ送信する。装置構成管理部（ｓ２２１）は、受信した通信パス設定指示に基づき、各伝送装置（ｓ６〜ｓ８）へ通信パス設定指示を送信する（ステップＶ６，Ｖ９，Ｖ１２）。本処理では、装置構成管理部（ｓ２２１）から伝送装置用ＩＦ部（ｓ２３）を経由し、網Ｂ（ｎ２）内の各伝送装置（ｓ６〜ｓ８）へ、通信パス設定指示が送信される。各伝送装置（ｓ６〜ｓ８）は、自身のＥＭＳ用ＩＦ部（ｓ６１，ｓ７１，ｓ８１）を経由し、自身の通信パス設定部（ｓ６２，ｓ７２，ｓ８２）にて、通信パス設定指示を受信する。そして、各伝送装置（ｓ６〜ｓ８）は、自身の通信パス設定部（ｓ６２，ｓ７２，ｓ８２）の通信パス設定部（ｓ６２，ｓ７２，ｓ８２）にて、通信パスに係る設定を実行する（ステップＶ７，Ｖ１０，Ｖ１３）。
【００５１】
なお、装置構成ＩＦ部（ｓ２１１）は、網Ｂ（ｎ２）内の通信パス（ｐ０）の開始点となる伝送装置（ｓ６）に対して、通信パス設定指示に含まれる、網Ａ（ｎ１）内の通信パス（ｐ０）の終了点となる伝送装置（ｓ５）の物理ＩＦを通知し、網Ａ（ｎ１）と網Ｂ（ｎ２）間が通信可能となるように通信パス（ｐ０）を設定させる。
【００５２】
各伝送装置（ｓ６〜ｓ８）は、各伝送装置の通信パス設定部（ｓ６２，ｓ７２，ｓ８２）にて通信パス（ｐ０）の設定を完了後、その完了の旨を示す通信パス設定完了情報を、自身のＥＭＳ用ＩＦ部（ｓ６１，ｓ７１，ｓ８１）を経由し、伝送装置用ＩＦ部（ｓ２３）へ送信する。伝送装置用ＩＦ部（ｓ２３）は、各伝送装置（ｓ６〜ｓ８）から送信された通信パス設定完了情報を、装置構成管理部（ｓ２２１）へ送信する（ステップＶ８，Ｖ１１，Ｖ１４）。
【００５３】
装置構成管理部（ｓ２２１）は、装置構成ＩＦ部（ｓ２１１）経由で、網Ａ（ｎ１）のＥＭＳ（ｓ１）へ、網Ｂ（ｎ２）内の通信パス設定完了情報を送信する（ステップＶ１５）。ＥＭＳ（ｓ１）は、網Ｂ（ｎ２）のＥＭＳ（ｓ２）からの通信パス設定完了情報を受信することで、網Ｂ（ｎ２）にて通信パス（ｐ０）の設定が完了したことは少なくとも知ることができる。ただし、ＥＭＳ（ｓ１）は、網Ｂ（ｎ２）のどの伝送装置に通信パス（ｐ０）が設定されたかは知り得ない。
【００５４】
図３に示す手順により、網Ａ（ｎ１）と網Ｂ（ｎ２）に亘る０系の通信パス（ｐ０）が設定される。１系の通信パス（ｐ１）も、上記と同様の手順により設定することができる。
なお、ステップＶ７，Ｖ１０，Ｖ１３に示すように、ＥＭＳ（ｓ１）からの通信パス設定指示に基づいてＥＭＳ（ｓ２）が網Ｂ（ｎ２）内において通信パス（ｐ０、ｐ１）の設定を行う際には、ＥＭＳ（ｓ１）からの通信パス設定指示に含まれるＱｏＳ値を、網Ｂ（ｎ２）の通信パス（ｐ０、ｐ１）の設定に反映する。
【００５５】
図３に示す手順によれば、網Ｂ（ｎ２）のＥＭＳ（ｓ２）は、網Ａ（ｎ１）のＥＭＳ（ｓ１）に対して、網Ｂ（ｎ２）に設定されている通信パス（ｐ０，ｐ１）の開始点となる伝送装置（ｓ６，ｓ１１）の物理ＩＦを少なくとも開示する（ステップＶ１）。このため、ＥＭＳ（ｓ１）は、網Ａ（ｎ１）に設定されている通信パス（ｐ０，ｐ１）が網Ｂ（ｎ２）に対してどのような形態で設定されているかを認識することができる。よって、網Ａ（ｎ１）のＥＭＳ（ｓ１）は、網Ｂ（ｎ２）のＥＭＳ（ｓ２）が備えるＥＭＳ間ＩＦ部（ｓ２１）を介して、網Ｂ（ｎ２）のＥＭＳ（ｓ２）が管理している通信パス（ｐ０，ｐ１）を実質的に管理することができる。また、網Ｂ（ｎ２）のＥＭＳ（ｓ２）は、網Ａ（ｎ１）のＥＭＳ（ｓ１）が通信パス（ｐ０，ｐ１）の全体を管理するのに必要な情報は、網Ａ（ｎ１）のＥＭＳ（ｓ１）に開示しているため、網Ｂ（ｎ２）の網構成情報などの秘密情報は開示せずに済ませることができる。
したがって、複数の伝送網の保守者の各々が管理する情報を他の保守者に開示したくないという要望を満たしつつ、複数の伝送網の各々に配置されている伝送装置に亘って設定される通信パスの管理を、１台の通信パス管理装置で行うことができる。
【００５６】
また、網Ａ（ｎ１）および網Ｂ（ｎ２）に亘る通信パス（ｐ０，ｐ１）が、現用系および予備系からなるプロテクションパスである場合にも、網Ａ（ｎ１）のＥＭＳ（ｓ１）は、網Ｂ（ｎ２）のＥＭＳ（ｓ２）が備えるＥＭＳ間ＩＦ部（ｓ２１）を介して、網Ｂ（ｎ２）のＥＭＳ（ｓ２）が管理している通信パスを実質的に管理することができる。
【００５７】
伝送網のように主信号を扱うネットワーク基盤では、伝送網間に亘る高信頼な無瞬断のプロテクションパスを設定する必要があり、０系と１系の二系統のパス切り替え時に伝送遅延や位相が変動しないように同期可能な通信パスの設定が必須となる。そのため従来では、各伝送網の保守者同士が、通信パスを設定可能な伝送装置の情報に関して連絡を取りあい、エンド・ツー・エンドの通信パスの管理を行っていた。しかし、各伝送網の情報不足や連絡誤り等により手戻りが発生し、複数の伝送網に亘る通信パスの管理稼働の増大を招くという問題点が生じていた。本実施形態では、ＥＭＳ間ＩＦ部（ｓ２１）を用いることでこのような問題点は解消される。
【００５８】
〈通信パスの試験（プロバイダレベル）〉
図４を参照して、網Ａ（ｎ１）と網Ｂ（ｎ２）に亘って設定された通信パス（ｐ０，ｐ１）の試験の手順について説明する。この試験は、通信パスの正常性確認の試験である。まず、０系の通信パス（ｐ０）をプロバイダレベルで試験する手順を説明する。
【００５９】
網Ａ（ｎ１）のＥＭＳ（ｓ１）は、ＥＭＳ間ＩＦ部（ｓ２１）の通信パス試験ＩＦ部（ｓ２１２）を経由し、網Ｂ（ｎ２）のＥＭＳ（ｓ２）の通信パス試験管理部（ｓ２２２）に対し、試験ポイント特定指示を送信する（ステップＷ１）。
【００６０】
通信パス試験管理部（ｓ２２２）は、受信した試験ポイント特定指示に基づき、装置構成管理部（ｓ２２１）に蓄積されている通信パス情報を参照することにより、網Ｂ（ｎ２）内の試験ポイントを特定する（ステップＷ２）。本ケースの場合、網Ｂ（ｎ２）内に設定した通信パス（ｐ０）の終了点である伝送装置（ｓ８）をＭＥＰとして特定する。なお、伝送装置（ｓ６，ｓ７）は、通信パス（ｐ０）のＭＩＰとして特定される。
【００６１】
通信パス試験管理部（ｓ２２２）は、ＥＭＳ間ＩＦ部（ｓ２１）の通信パス試験ＩＦ部（ｓ２１２）を経由し、ＥＭＳ（ｓ１）に対し、試験ポイント特定完了情報を送信する（ステップＷ３）。試験ポイント特定完了情報には、ＥＭＳ（ｓ２）にて試験ポイントの特定が完了した旨を示す情報が含まれている。また、試験ポイント特定完了情報に、通信パスのＭＥＰの情報、すなわち伝送装置（ｓ８）がＭＥＰであるという情報も含めてもよい。しかし、網Ｂ保守者が伝送装置（ｓ８）のことを網Ａ保守者に開示したくない等の事情がある場合には含めなくてもよい。
【００６２】
ＥＭＳ（ｓ１）は、網Ａ（ｎ１）内の伝送装置（ｓ３，ｓ４，ｓ５）に対し、通信パスの試験実施指示を送信し、試験を実施させる（ステップＷ４）。実施される試験が、例えば、０系の通信パスのＬＴ（Link  Trace）試験の場合、開始点のＭＥＰである伝送装置（ｓ３）から伝送装置（ｓ４）へＯＡＭフレームが送信される。ＥＭＳ（ｓ１）は、試験実施指示を送信した伝送装置（ｓ３，ｓ４，ｓ５）から試験結果を受信する。
【００６３】
ＥＭＳ（ｓ１）は、ＥＭＳ（ｓ２）のＥＭＳ間ＩＦ部（ｓ２１）の通信パス試験ＩＦ部（ｓ２１２）を経由し、通信パス試験管理部（ｓ２２２）に対して試験結果を送信する（ステップＷ５）。なお、ステップＷ５は、省略することも可能である。
【００６４】
図４に示す手順により、網Ａ（ｎ１）と網Ｂ（ｎ２）に亘る０系の通信パス（ｐ０）のプロバイダレベルの試験が実施される。１系の通信パス（ｐ１）も、上記と同様の手順により試験を行うことができる。
なお、０系と１系間のプロテクションを確認するには、０系の通信パス（ｐ０）と１系の通信パス（ｐ１）の両方の通信パスに対し、図４の手順により、伝送遅延及び位相合わせおよびパケット・フレーム損失や重複、およびフレーム順序逆転に関する試験を実施すればよい。
また、通信パスの復路に対してＬＴ試験などの試験を行うこともできる。ＬＴ試験の場合、図４と同様の手順により、ＥＭＳ（ｓ２）側のＭＥＰである伝送装置（ｓ８）にＯＡＭフレームを挿入し、ＥＭＳ（ｓ１）側のＭＥＰである伝送装置（ｓ３）にＯＡＭフレームが送信される。伝送装置（ｓ３）は、ＬＴ試験をしたときの試験結果をＥＭＳ（ｓ１）に送信する。ＥＭＳ（ｓ１）は、ＥＭＳ（ｓ２）に試験結果を送信する。
【００６５】
図４に示す手順によれば、網Ａ（ｎ１）のＥＭＳ（ｓ１）は、網Ｂ（ｎ２）のＥＭＳ（ｓ２）が備えるＥＭＳ間ＩＦ部（ｓ２１）を介して、網Ｂ（ｎ２）の伝送装置が試験の実施可能状態にあることを認識することができる。よって、網Ａ（ｎ１）のＥＭＳ（ｓ１）は、網Ａ（ｎ１）および網Ｂ（ｎ２）に亘る通信パス（ｐ０，ｐ１）の全体に対する試験を円滑に行うことができる。
【００６６】
〈通信パスの試験（オペレータレベル）〉
図５を参照して、網Ａ（ｎ１）と網Ｂ（ｎ２）に亘って設定された通信パス（ｐ０，ｐ１）の試験の手順について説明する。この試験は、通信パスの正常性確認の試験である。まず、０系の通信パス（ｐ０）をオペレータレベルで試験する手順を説明する。
【００６７】
網Ａ（ｎ１）のＥＭＳ（ｓ１）は、ＥＭＳ間ＩＦ部（ｓ２１）の通信パス試験ＩＦ部（ｓ２１２）を経由し、網Ｂ（ｎ２）のＥＭＳ（ｓ２）の通信パス試験管理部（ｓ２２２）に対し、試験ポイント特定指示を送信する（ステップＸ１）。
【００６８】
通信パス試験管理部（ｓ２２２）は、受信した試験ポイント特定指示に基づき、装置構成管理部（ｓ２２１）に蓄積されている通信パス情報を参照することにより、網Ｂ（ｎ２）内の試験ポイントを特定する（ステップＸ２）。本ケースの場合、網Ｂ（ｎ２）内に設定した通信パス（ｐ０）の開始点である伝送装置（ｓ６）をＭＥＰとして特定し、網Ｂ（ｎ２）内に設定した通信パス（ｐ０）の終了点である伝送装置（ｓ８）をＭＥＰとして特定する。
【００６９】
通信パス試験管理部（ｓ２２２）は、網Ｂ（ｎ２）内の伝送装置（ｓ６，ｓ７，ｓ８）の通信パス試験部（ｓ６３）に対し、通信パスの試験実施指示を送信し、試験を実施させる（ステップＸ３）。実施される試験が、例えば、０系の通信パスのＬＴ試験の場合、開始点のＭＥＰである伝送装置（ｓ６）から伝送装置（ｓ７）へＯＡＭフレームが送信される。
【００７０】
通信パス試験管理部（ｓ２２２）は、ＥＭＳ用ＩＦ部（ｓ６１）および伝送装置用ＩＦ部（ｓ２３）を経由し、伝送装置（ｓ６）の通信パス試験部（ｓ６３）から試験結果を受信する。また、通信パス試験管理部（ｓ２２２）は、伝送装置（ｓ７，ｓ８）からも試験結果を受信する。
【００７１】
通信パス試験管理部（ｓ２２２）は、受信した試験結果を、（ｓ２１）の通信パス試験ＩＦ部（ｓ２１２）を経由し、ＥＭＳ（ｓ１）に送信する。
【００７２】
図５に示す手順により、網Ｂ（ｎ２）の０系の通信パス（ｐ０）のオペレータレベルの試験が実施される。１系の通信パス（ｐ１）も、上記と同様の手順により試験を行うことができる。
【００７３】
図５に示す手順によれば、網Ａ（ｎ１）のＥＭＳ（ｓ１）は、網Ｂ（ｎ２）のＥＭＳ（ｓ２）が備えるＥＭＳ間ＩＦ部（ｓ２１）を介して、網Ｂ（ｎ２）の伝送装置に対する試験の結果を取得することができる。よって、網Ａ（ｎ１）のＥＭＳ（ｓ１）は、網Ａ（ｎ１）および網Ｂ（ｎ２）に亘る通信パス（ｐ０，ｐ１）の全体に対する試験を円滑に行うことができる。
【００７４】
〈通信パスに関係するアラーム情報の収集〉
図６を参照して、通信パスに関係するアラーム情報の収集手順を説明する。
網Ｂの伝送装置（ｓ６）にて、所定のイベントが発生した場合には、伝送装置（ｓ６）のアラーム通知部（ｓ６４）は、アラームを生成する（ステップＹ１）。なお、生成されるアラームは、例えば、網Ａ（ｎ１）と網Ｂ（ｎ２）に亘る通信パスに関係する伝送装置の故障情報や警報情報である。
アラーム通知部（ｓ６４）は、生成したアラームの内容を示すアラーム情報を、ＥＭＳ用ＩＦ部（ｓ６１）および伝送装置用ＩＦ部（ｓ２３）を経由し、アラーム管理部（ｓ２２３）に送信する（ステップＹ２）。
【００７５】
アラーム管理部（ｓ２２３）は、受信したアラーム情報が、網Ａ（ｎ１）と網Ｂ（ｎ２）に亘る通信パスに関係する、網Ｂ（ｎ２）内の伝送装置からのアラーム情報であるか否かを判定する。本ケースの通信パス（ｐ０）の場合、アラーム管理部（ｓ２２３）は、伝送装置（ｓ６）から送信されたアラーム情報を、通信パス（ｐ０）に関係するアラーム情報として特定する（ステップＹ３）。
アラーム管理部（ｓ２２３）は、特定したアラーム情報を、ＥＭＳ間ＩＦ部（ｓ２１）のアラームＩＦ部（ｓ２１３）を経由し、ＥＭＳ（ｓ１）へ送信する。
【００７６】
通信パス（ｐ１）が設定された、網Ｂ内の伝送装置に対してアラーム情報が生成された場合にも同様の手順で済ませることができる。
図６の手順により、ＥＭＳ（ｓ２）からのアラーム情報によって、ＥＭＳ（ｓ１）の網Ａ保守者は、保守対象外の網Ｂの異常状態があったことを確実に認識することができる。また、ＥＭＳ（ｓ２）の網Ｂ保守者は、網Ａ保守者に開示すべき必要最小限の情報を、通信パスに関係するアラーム情報として、ＥＭＳ（ｓ１）に送信し、秘密にしたい情報（例えば、網構成情報）を開示せずに済ませることができる。
【００７７】
なお、網Ａ内の伝送装置のアラーム情報を網ＢのＥＭＳ（ｓ２）に送信する場合も同様の手順で行うことができる。
【００７８】
図６に示す手順によれば、網Ａ（ｎ１）のＥＭＳ（ｓ１）は、網Ｂ（ｎ２）のＥＭＳ（ｓ２）が備えるＥＭＳ間ＩＦ部（ｓ２１）を介して、網Ａ（ｎ１）のＥＭＳ（ｓ１）が本来的には知ることができない、網Ｂ（ｎ２）の伝送装置に関するアラーム情報を取得することができる。よって、網Ａ（ｎ１）のＥＭＳ（ｓ１）は、網Ｂ（ｎ２）のＥＭＳ（ｓ２）が管理している通信パス（ｐ０，ｐ１）を実質的に管理することができる。
【００７９】
〈通信パスに関係する性能情報の収集〉
図７を参照して、通信パスに関係する性能情報の収集手順を説明する。
網Ｂの伝送装置（ｓ６）にて、所定の条件を満たした場合には（例えば、所定の時刻を迎えた場合には）、伝送装置（ｓ６）の性能通知部（ｓ６５）は、性能情報を生成する（ステップＺ１）。なお、生成される性能情報は、例えば、網Ａ（ｎ１）と網Ｂ（ｎ２）に亘る通信パスに関係する伝送装置のトラフィック量、リソース割り当て量等である。
性能通知部（ｓ６５）は、性能情報を、ＥＭＳ用ＩＦ部（ｓ６１）および伝送装置用ＩＦ部（ｓ２３）を経由し、性能管理部（ｓ２２４）に送信する（ステップＺ２）。
【００８０】
性能管理部（ｓ２２４）は、受信した性能情報が、網Ａ（ｎ１）と網Ｂ（ｎ２）に亘る通信パスに関係する、網Ｂ（ｎ２）内の伝送装置からの性能情報であるか否かを判定する。本ケースの通信パス（ｐ０）の場合、性能管理部（ｓ２２４）は、伝送装置（ｓ６）から送信された性能情報を、通信パス（ｐ０）に関係する性能情報として特定する（ステップＺ３）。
性能管理部（ｓ２２４）は、特定した性能情報を、ＥＭＳ間ＩＦ部（ｓ２１）の性能ＩＦ部（ｓ２１４）を経由し、ＥＭＳ（ｓ１）へ送信する。
【００８１】
通信パス（ｐ１）が設定された、網Ｂ内の伝送装置に対して性能情報が生成された場合にも同様の手順で済ませることができる。
図７の手順により、ＥＭＳ（ｓ２）からの性能情報によって、ＥＭＳ（ｓ１）の網Ａ保守者は、保守対象外の網Ｂの運用状態を確実に認識することができる。また、ＥＭＳ（ｓ２）の網Ｂ保守者は、網Ａ保守者に開示すべき必要最小限の情報を、通信パスに関係する性能情報として、ＥＭＳ（ｓ１）に送信し、秘密にしたい情報（例えば、網構成情報）を開示せずに済ませることができる。
【００８２】
なお、網Ａ内の伝送装置の性能情報を網ＢのＥＭＳ（ｓ２）に送信する場合も同様の手順で行うことができる。
【００８３】
図７に示す手順によれば、網Ａ（ｎ１）のＥＭＳ（ｓ１）は、網Ｂ（ｎ２）のＥＭＳ（ｓ２）が備えるＥＭＳ間ＩＦ部（ｓ２１）を介して、網Ａ（ｎ１）のＥＭＳ（ｓ１）が本来的には知ることができない、網Ｂ（ｎ２）の伝送装置に関する性能情報を取得することができる。よって、網Ａ（ｎ１）のＥＭＳ（ｓ１）は、網Ｂ（ｎ２）のＥＭＳ（ｓ２）が管理している通信パス（ｐ０，ｐ１）を実質的に管理することができる。
【００８４】
〔本実施形態の連携システムの他の例１〕
例えば、図８に示すように、網ＡのＥＭＳおよび網ＢのＥＭＳの各々が、ＥＭＳ間ＩＦ部を備えることで、各網のＥＭＳが他網のＥＭＳを管理可能な仮想伝送装置として扱うことができる。
【００８５】
網ＡのＥＭＳ（ｓ１）が通信パスを設定する側である場合、網ＢのＥＭＳ（ｓ２）が備えるＥＭＳ間ＩＦ部（ｓ２１）に接続することで、網ＡのＥＭＳ（ｓ１）は、通信パスが設定される側である網Ｂを仮想伝送装置（網Ｂ）として扱うことができる。これにより、すでに説明した通り、網ＢのＥＭＳ（ｓ２）は、開示可能な情報のみを網ＡのＥＭＳ（ｓ１）に送信することができる。
【００８６】
網ＢのＥＭＳ（ｓ２）が通信パスを設定する側である場合、網ＡのＥＭＳ（ｓ１）が備えるＥＭＳ間ＩＦ部（ｓ２１Ａ）に接続することで、網ＢのＥＭＳ（ｓ２）は、通信パスが設定される側である網Ａを仮想伝送装置（網Ａ）として扱うことができる。これにより、網ＡのＥＭＳ（ｓ１）は、開示可能な情報のみを網ＢのＥＭＳ（ｓ２）に送信することができる。
【００８７】
〔本実施形態の連携システムの他の例２〕
また、例えば、図９に示すように、網Ａ、網Ｂ、および網Ｃの３つの伝送網に亘って通信パスを設定する場合にも本発明を適用できる。
【００８８】
複数の伝送網と接続する網ＢのＥＭＳ（ｓ２）は、網Ａ用および網Ｃ用にＥＭＳ間ＩＦ部（ｓ２１）を備える。網ＡのＥＭＳ（ｓ１）が通信パスを設定する側である場合、網ＡのＥＭＳ（ｓ１）は、通信パスが設定される側である網Ｂを仮想伝送装置（網Ｂ）として扱うことができる。
【００８９】
複数の伝送装置が配置されている網ＣのＥＭＳ（ｓ２Ｃ）は、網Ｂ用にＥＭＳ間ＩＦ部（ｓ２１Ｃ）を備えている。網Ｃを供給するベンダの保守者である網Ｃ保守者は、ＨＭＩ（ｓ１６Ｃ）を用いてＥＭＳ（ｓ２Ｃ）の処理を制御する。網ＢのＥＭＳ（ｓ２）は、網Ｃに対して通信パスを設定する側となり、通信パスが設定される側である網Ｃを仮想伝送装置（網Ｃ）として扱うことができる。
このように、通信パスを設定する側の網が、接続する他網を順次、仮想伝送装置として扱う方法をとることができる。この方法により、３つの伝送網に亘って設定された通信パスに対する網管理を行うことが可能となる。
なお、本方法は、３つ以上の伝送網に対しても適用可能である。
【００９０】
〔本実施形態の連携システムの他の例３〕
また、例えば、図１０に示すように、網ＡのＥＭＳ（ｓ１）に対して、網ＢのＥＭＳ（ｓ２）が仮想伝送装置（網Ｂ）として接続し、かつ、網ＣのＥＭＳ（ｓ２Ｃ）が仮想伝送装置（網Ｃ）として接続しているように扱うこともできる。網ＢのＥＭＳ（ｓ２）は、網Ａ用のＥＭＳ間ＩＦ部（ｓ２１）を備えており、網ＣのＥＭＳ（ｓ２Ｃ）も、網Ｃ用となるＥＭＳ間ＩＦ部（ｓ２１Ｃ）を備えている。
【００９１】
網ＡのＥＭＳ（ｓ１）が通信パスを設定する側とし、網ＢのＥＭＳ（ｓ２）および網ＣのＥＭＳ（ｓ２Ｃ）が通信パスを設定される側であるとする場合、網Ｂを中継用の仮想伝送装置（網Ｂ）とし、網Ｃを端点の仮想伝送装置（網Ｃ）とし、３つの伝送網に亘って設定された通信パスに対する網管理を行うことが可能となる。
なお、本方法は、３つ以上の伝送網に対しても適用可能である。
【００９２】
（プログラム）
また、上記実施形態に係る通信パス管理装置が実行する処理をコンピュータが実行可能な言語で記述したプログラムを作成することもできる。この場合、コンピュータがプログラムを実行することにより、上記実施形態と同様の効果を得ることができる。さらに、かかるプログラムをコンピュータ読み取り可能な記録媒体に記録して、この記録媒体に記録されたプログラムをコンピュータに読み込ませて実行することにより上記実施形態と同様の処理を実現してもよい。以下に、テスト装置と同様の機能を実現する通信パス管理プログラムを実行するコンピュータの一例を説明する。
【００９３】
図１１は、通信パス管理プログラムを実行するコンピュータを示す図である。図１１に示すように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。
【００９４】
メモリ１０１０は、ＲＯＭ（Read  Only  Memory）１０１１およびＲＡＭ（Random  Access  Memory）１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。ディスクドライブ１１００には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００９５】
ここで、図１１に示すように、ハードディスクドライブ１０９０は、例えば、ＯＳ１０９１、アプリケーションプログラム１０９２、プログラムモジュール１０９３およびプログラムデータ１０９４を記憶する。上記実施形態で説明した各テーブルは、例えばハードディスクドライブ１０９０やメモリ１０１０に記憶される。
【００９６】
また、通信パス管理プログラムは、例えば、コンピュータ１０００によって実行される指令が記述されたプログラムモジュールとして、ハードディスクドライブ１０９０に記憶される。具体的には、上記実施形態で説明した通信パス管理プログラムが実行する各処理が記述されたプログラムモジュールが、ハードディスクドライブ１０９０に記憶される。
【００９７】
また、通信パス管理プログラムによる情報処理に用いられるデータは、プログラムデータとして、例えば、ハードディスクドライブ１０９０に記憶される。そして、ＣＰＵ１０２０が、ハードディスクドライブ１０９０に記憶されたプログラムモジュール１０９３やプログラムデータ１０９４を必要に応じてＲＡＭ１０１２に読み出して、上述した各手順を実行する。
【００９８】
なお、通信パス管理プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１１００等を介してＣＰＵ１０２０によって読み出されてもよい。あるいは、通信パス管理プログラムに係るプログラムモジュール１０９３やプログラムデータ１０９４は、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【００９９】
（その他）
本実施形態で説明した種々の技術を適宜組み合わせた技術を実現することもできる。
本実施形態で説明したソフトウェアをハードウェアとして実現することもでき、ハードウェアをソフトウェアとして実現することもできる。
その他、ハードウェア、ソフトウェア、フローチャートなどについて、本発明の趣旨を逸脱しない範囲で適宜変更が可能である。
【符号の説明】
【０１００】
ｓ１，ｓ２      ＥＭＳ（通信パス管理装置）
ｓ３〜ｓ１２    伝送装置
ｓ１３          ＮＮＩ（ｉ０）用仮想伝送装置
ｓ１４          ＮＮＩ（ｉ１）用仮想伝送装置
ｓ１５，ｓ１６  ＨＭＩ
ｓ２１          ＥＭＳ間ＩＦ部（通信パス管理装置間ＩＦ部、通信パス管理装置間ＩＦ手段）
ｓ２１１        装置構成ＩＦ部
ｓ２１２        通信パス試験ＩＦ部
ｓ２１３        アラームＩＦ部
ｓ２１４        性能ＩＦ部
ｓ２２          網管理部（網管理手段）
ｓ２２１        装置構成管理部
ｓ２２２        通信パス試験管理部
ｓ２２３        アラーム管理部
ｓ２２４        性能管理部
ｓ２３          伝送装置用ＩＦ部
ｓ６１          ＥＭＳ用ＩＦ部
ｓ６２          通信パス設定部
ｓ６３          通信パス試験部
ｓ６４          アラーム通知部
ｓ６５          性能通知部
ｓ６６          伝送装置間通信部
ｐ０          通信パス（０系、現用系）
ｐ１          通信パス（１系、予備系）
ｎ１          網Ａ（発側網）
ｎ２          網Ｂ（着側網）
【図１】
0006310409.tif 000002
【図２】
0006310409.tif 000003
【図３】
0006310409.tif 000004
【図４】
0006310409.tif 000005
【図５】
0006310409.tif 000006
【図６】
0006310409.tif 000007
【図７】
0006310409.tif 000008
【図８】
0006310409.tif 000009
【図９】
0006310409.tif 000010
【図１０】
0006310409.tif 000011
【図１１】
0006310409.tif 000012